(57)【要約】【課題】  本発明は建築物の窯業系サイディング又は気泡コンクリート等からなる既存外壁面を、新規な乾式壁材で改修するための外壁の改修方法、建物外壁用胴縁支持部材並びに建物外壁用胴縁の固定方法の提供。【解決手段】  既存建物の外装材を貫通したコア抜き孔３を設け、該コア抜き孔３に固定型ブラケット４０又は一体型ブラケット４を挿入し、既存建物の躯体１又は外装材固定用取付部５にブラケットの取付部４１を固定し、該ブラケットはその他端の取付部に胴縁６を固定し、該ブラケットの胴縁支持材４５の上に胴縁６を載せ、固定することからなる建物外壁用胴縁を固定する方法並びに該方法により建物外壁を改修する方法。なおブラケット自体その長さを調節可能なスライド型ブラケットも開発した。【選択図】            図１
2005171752.tif 000002
【特許請求の範囲】
【請求項１】
既存建物の外装材を貫通したコア抜き孔を設け、該コア抜き孔に固定型ブラケットを挿入し、既存建物の躯体に固定型ブラケットの取付部を固定し、該固定型ブラケットの他端の取付部に外装材外側に設けた胴縁を固定することからなる建物外壁用胴縁の固定方法。
【請求項２】
既存建物の外装材を貫通したコア抜き孔を設け、該コア抜き孔に固定型ブラケットを挿入し、既存建物の躯体に固定型ブラケットの取付部を固定し、該固定型ブラケットの胴縁支持材の上に胴縁を載せ、固定することからなる建物外壁用胴縁の固定方法。
【請求項３】
既存建物の外装材を貫通したコア抜き孔を設け、該コア抜き孔にスライド型ブラケットを挿入し、既存建物の躯体にスライド型ブラケットの取付部を固定し、該スライド型ブラケットの水平支持材にアジャスターを載せ、スライド型ブラケットの取付部と胴縁固定の取付部の間の長さを調節して固定し、アジャスターの取付部を外装材外側に設けた角形鋼管またはリップみぞ型鋼からなる胴縁に固定することからなる建物外壁用胴縁の固定方法。
【請求項４】
ボルトまたは溶接により、ブラケットの取付部を建物の躯体に取り付け、固定型ブラケットにおいては他端の取付部、スライド型ブラケットにおいてはアジャスター取付部を胴縁に溶接、ボルトまたは取付金具を用いて固定することからなる建物外壁用胴縁の固定方法。
【請求項５】
Ａ．既存建物の躯体に固定するための取付部および該取付部から水平に伸びる水平支持材からなるスライド型ブラケットおよびＢ．他端に胴縁を固定するための取付部を有し、スライド型ブラケットの水平支持材上を跨ってスライド可能であり、スライド型ブラケットの取付部と胴縁固定の取付部の間の長さを調節可能としたアジャスターからなることを特徴とする建物外壁用胴縁支持部材。
【請求項６】
既存の外装材にコア抜き孔を設け、該コア抜き孔に固定型ブラケットを挿入し、既存建物の躯体に該ブラケットの取付部を固定し、固定型ブラケットにおいては胴縁支持材の上に横胴縁を載せて固定した後、胴縁に乾式壁材を固定することからなる建物外壁の改修方法。
【請求項７】
既存の外装材にコア抜き孔を設け、該コア抜き孔にブラケットを挿入し、既存建物の躯体にブラケットの取付部を固定し、スライド型ブラケットにおいては水平支持材にアジャスターを載せ、スライド型ブラケットの取付部と胴縁固定の取付部の間の長さを調節して固定し、アジャスターの取付部を胴縁に固定した後、胴縁に乾式壁材を固定することからなる建物外壁の改修方法。
【請求項８】
既存建物の外装材を貫通したコア抜き孔を設け、該コア抜き孔を通じて既存建物の躯体に設けられている外装材固定用取付部に胴縁固定用一体型ブラケットの一端を固定し、他端を胴縁に固定した後、該胴縁に乾式壁材を固定することからなる建物外壁の改修方法。
【請求項９】
躯体に設けられた外装材固定用取付部が上向きの時、胴縁固定用一体型ブラケットはビス止め又は挟みプレートで固定し、取付部が下向きの時はビス止めとする請求項８に記載の建物外壁の改修方法。
【請求項１０】
乾式壁材が、窯業系サイディング又は気泡コンクリート若しくは軽量気泡コンクリート板である請求項６〜８のいずれか１項に記載の建物外壁の改修方法。
【請求項１１】
窯業系サイディングがセメント系押出成型板である請求項１０に記載の建物外壁の改修方法。
【発明の詳細な説明】
【技術分野】
【０００１】
本発明は建築物の窯業系サイディング［主原料としてセメント質原料および繊維質原料を用いて板状に形成し、養生、硬化させたもの］又は気泡コンクリート［ＡＬＣなどの気泡コンクリート、軽量気泡コンクリートなどを含む。］等からなる既存外壁面を、新規な乾式壁材で改修するための外壁の改修方法、建物外壁用胴縁支持部材並びに建物外壁用胴縁の固定方法に関するものである。
さらに詳しくは、新規の乾式壁材を取り付けるための建物外壁用胴縁支持部材を、建物の躯体（既存建物の鉄骨材）から持ち出したブラケットに胴縁を固定し、新規乾式壁材を該外壁用胴縁に固定する構造とすることによって、既存の外壁に全く負担をかけることなく、しかも充分な取付強度を有する新規な乾式壁材を設置する外壁の改修に関するものである。
【背景技術】
【０００２】
従来、外壁の改修は古くなった既存の外壁をすべて撤去した後、既存の躯体や胴縁等の壁下地材を利用して新規外壁を形成する方法や、外壁面に直接新規の乾式壁材をコンクリートアンカー等の固定具を用いて、外壁そのものを壁下地材として利用して改修する工法が一般的に知られている。
【０００３】
上記のように、古くなった既存の外壁をすべて撤去して、既存の躯体や胴縁等の壁下地材に新規外壁を形成する方法では、既存壁材の撤去のための費用の増大や撤去した廃材の処理に課題があると共に、工事中は建物に外壁が無い状態となるため、工事期間中は建物に居住することは不可能となるなど、建物内部を利用することができなくなる。
【０００４】
また、既存外壁をそのまま壁下地材として利用して新規壁材を施工する方法では、そもそも古くなった外壁は、多くは凍害や経時変化でひび割れや一部脱落、強度劣化が進んでおり、これを壁下地として利用することは、取り付けられた新規壁材の取り付け強度に問題があり、台風や地震等の外的衝撃により脱落したり、剥がれたりする危険を伴っていた。さらに通常の古くなった外壁の表面には凹凸があり、そのまま新規外壁を施工すると凹凸による不陸調整が困難で、それを基礎として形成される新規壁面にも凹凸が発生し、クラックの原因や美観性にも劣るものになることが避けられなかった。
【０００５】
最近になって、 外壁を貫通したコア抜き孔から円筒状で、一端に固定用底部、他端にネジ部を有した外部材とこれにねじ込める内部材とによって形成された支持金具を既存建物の躯体に固定し、該支持金具の他端部に縦胴縁又は横胴縁を固定し、縦胴縁又は横胴縁に外装材を取り付ける改修装置を用いる外壁改修方法が提案された。該改修装置の外部材と内部材とがねじ結合されて長さ方向に伸縮自在で全体の長さが調整可能である２部品からなる支持金具の提案（特許文献１、特許文献２）がなされている。
【０００６】
この支持金具を用いるときには、外装材を取り付けるため既存外装材に荷重をかけずに該支持金具を建物の躯体に直接固定することにより、該外装材を損傷しないように、かつ確実に固定することができる利点がある。しかしこれら提案された支持金具は内部材を回転することにより円筒状固定用底部の取付部と胴縁固定の取付部の間の長さを調節することが可能ではあるが、それは円筒状の外部材と内部材の間にネジを設けて、それを回転することにより距離を調節するものであり、制作が煩雑であり高価になるだけでなく、距離の調節の操作も面倒な問題点がある。
【０００７】
【特許文献１】特開平１１−２２３０２７号公報
【特許文献２】特許第３２９２８２５号公報
【発明の開示】
【発明が解決しようとする課題】
【０００８】
本発明は、既存建物の外装材にコア抜き孔を設け、簡単な一体型ブラケットを用いて胴縁材を固定する方法および既存建物に外装材固定用取付部等がない場合には、厚さに合わせて製造された固定型ブラケットで建物の躯体に固定するか、スライド型ブラケットを用い既存の外壁材の厚さに合わせて該スライド型ブラケットの取付部と胴縁固定の取付部の間の長さを調節して固定する方法並びに該方法に使用する操作が容易であって確実性があり、且つ安価な建物外壁用胴縁支持部材の開発の提供を目的とする。
【課題を解決するための手段】
【０００９】
本発明は、
［１］  既存建物の外装材を貫通したコア抜き孔を設け、該コア抜き孔に固定型ブラケットを挿入し、既存建物の躯体に固定型ブラケットの取付部を固定し、該固定型ブラケットの他端の取付部に外装材外側に設けた胴縁を固定することからなる建物外壁用胴縁の固定方法、
［２］  既存建物の外装材を貫通したコア抜き孔を設け、該コア抜き孔に固定型ブラケットを挿入し、既存建物の躯体に固定型ブラケットの取付部を固定し、該固定型ブラケットの胴縁支持材の上に胴縁を載せ、固定することからなる建物外壁用胴縁の固定方法、
【００１０】
［３］  既存建物の外装材を貫通したコア抜き孔を設け、該コア抜き孔にスライド型ブラケットを挿入し、既存建物の躯体にスライド型ブラケットの取付部を固定し、該スライド型ブラケットの水平支持材にアジャスターを載せ、スライド型ブラケットの取付部と胴縁固定の取付部の間の長さを調節して固定し、アジャスターの取付部を外装材外側に設けた角形鋼管またはリップみぞ型鋼からなる胴縁に固定することからなる建物外壁用胴縁の固定方法、
［４］  ボルトまたは溶接により、ブラケットの取付部を建物の躯体に取り付け、固定型ブラケットにおいては他端の取付部、スライド型ブラケットにおいてはアジャスター取付部を胴縁に溶接、ボルトまたは取付金具を用いて固定することからなる建物外壁用胴縁の固定方法、
【００１１】
［５］  Ａ．既存建物の躯体に固定するための取付部および該取付部から水平に伸びる水平支持材からなるスライド型ブラケットおよびＢ．他端に胴縁を固定するための取付部を有し、スライド型ブラケットの水平支持材上を跨ってスライド可能であり、スライド型ブラケットの取付部と胴縁固定の取付部の間の長さを調節可能としたアジャスターからなることを特徴とする建物外壁用胴縁支持部材、
【００１２】
［６］  既存の外装材にコア抜き孔を設け、該コア抜き孔に固定型ブラケットを挿入し、既存建物の躯体に該ブラケットの取付部を固定し、固定型ブラケットにおいては胴縁支持材の上に横胴縁を載せて固定した後、胴縁に乾式壁材を固定することからなる建物外壁の改修方法、
［７］  既存の外装材にコア抜き孔を設け、該コア抜き孔にブラケットを挿入し、既存建物の躯体にブラケットの取付部を固定し、スライド型ブラケットにおいては水平支持材にアジャスターを載せ、スライド型ブラケットの取付部と胴縁固定の取付部の間の長さを調節して固定し、アジャスターの取付部を胴縁に固定した後、胴縁に乾式壁材を固定することからなる建物外壁の改修方法、
［８］  既存建物の外装材を貫通したコア抜き孔を設け、該コア抜き孔を通じて既存建物の躯体に設けられている外装材固定用取付部に胴縁固定用一体型ブラケットの一端を固定し、他端を胴縁に固定した後、該胴縁に乾式壁材を固定することからなる建物外壁の改修方法、
［９］  躯体に設けられた外装材固定用取付部が上向きの時、胴縁固定用一体型ブラケットはビス止め又は挟みプレートで固定し、取付部が下向きの時はビス止めとする上記［８］に記載の建物外壁の改修方法、
【００１３】
［１０］  乾式壁材が、窯業系サイディング又は気泡コンクリート若しくは軽量気泡コンクリート板である上記［６］〜［８］のいずれかに記載の建物外壁の改修方法、及び
［１１］  窯業系サイディングがセメント系押出成型板である上記［１０］に記載の建物外壁の改修方法、を開発することにより上記の課題を解決した。
【発明の効果】
【００１４】
本発明は既存の外壁にコア抜き孔を形成し、外装材固定のために建物外壁表面から前記コア抜き孔に建物外壁用胴縁支持部材として固定型ブラケットを既存の建物の躯体、好ましくは躯体のウェブに固定した後、胴縁を該ブラケットの胴縁支持材上に載せ固定するか又はスライド型ブラケットを挿入し、スライド型ブラケットの取付部を既存の建物の躯体のウェブに固定し、該スライド型ブラケットの水平に延びる水平支持材にアジャスターを載せ、位置を調節、固定し、アジャスターの他端に胴縁を固定し、この胴縁に新規の乾式壁材を固定する構造とする。建物の躯体に外装材取付部があるときは、該取付部に胴縁固定用一体型ブラケットの一端を固定し、他端を胴縁、通常は外装材外側に設けた角形鋼管またはリップみぞ型鋼からなる胴縁に固定した後、該胴縁に乾式壁材を固定することにより容易に胴縁を固定できることを見出した。
【００１５】
本発明方法によるときは、
（ア）既存の建物の外壁を解体する必要がないので、施工工数を省略できると共に、工期を大幅に短縮することができ、しかも施工中の居住や利用に何等支障を来さない。
（イ）既存の建物の外壁上に新規外壁を形成するので、施工が簡単でコストを節約できる。
（ウ）外壁にコア抜き孔を形成することにより、表面側から既存建物の躯体を直接確認することができ、ブラケットの該躯体への取り付けが確実なものとなる。（エ）建物外壁用胴縁支持部材は構造的に既存建物の躯体に直接取り付け固定されるため既存の外壁には一切の負担（荷重）をかけずに改修でき、新規の乾式壁材の取付強度も充分である利点を有する。
【００１６】
本発明の建物外壁用胴縁支持部材は、構造が簡単で安価であるだけなく、施工も容易となりスライド型ブラケットの取付部と胴縁固定の取付部の間の長さを容易に調節できるので極めて有利である。また本発明の外壁改修方法によるときは不陸の調整が容易に行え、強度も確実にあり、施工が容易となる等の特徴、効果がある。
特に建物外壁用胴縁支持部材として固定型ブラケットを用いる場合には、ブラケット自体も安価であり、また胴縁への取付も簡単になるので最も長い長さの固定型ブラケットを準備しておき、胴縁を載せてから余分の長さを切断することで簡単に胴縁の設置を調整することも有効な手段である。
【発明を実施するための最良の形態】
【００１７】
既存建物は、建物強度、コストなどを勘案して、建物躯体［主としてＨ型鋼又はＩ型鋼と呼ばれる型材が用いられる。本発明においては建物躯体を鉄骨材と呼び、Ｈ型鋼の中央部材を「ウエブ」、ウエブの上下の横に伸びる部分を「フランジ」と呼ぶ。］は、下層階は肉厚の大型鉄骨材を用い、上層階に行くに従い小型の鉄骨材が用いられているのが普通である。このＨ型鋼は通常大型鉄骨の肉厚は厚くなり、ウエブのみならずフランジもそのサイズが大となる。このために、躯体のウェブやフランジ端部から設置する胴縁までの距離は当然異なってくる。
【００１８】
従来胴縁は、通常図８に示されるような断面を有するいわゆる「Ｋ鋼」と呼ばれる形状の鋼材が用いられていたが、剛性的に不十分なことが多いところから、角型鋼管（主として横胴縁）またはリップみぞ形鋼（主として縦胴縁）を使用することが好ましい。これらは「Ｋ鋼」に比して剛性が高いので、同一外径のものを使用するときは長いものを使用できるし、また補強間隔を大きく取っても問題ない。
なお、これらの横胴縁はできるだけ切断しないで使用するが、縦胴縁は横胴縁の間をつなぐ長さに切断し、胴縁接合金物を用いて接合することにより胴縁の厚さをほぼ半減することが普通行われている。
【００１９】
以下、図面を用いて本発明に係る外壁の改修構造の一実施例について詳細に説明する。
図１は固定型ブラケットを用いた外壁の改修構造の代表的な一例を示す概念図である。図１において、建築物の躯体（１）としては通常Ｈ型鋼が用いている。建物外壁の改修に際しては、外壁（２）に形成したコア抜き孔（３）は、躯体（１）の配設位置に沿って、外壁（２）に一定ピッチでコアドリル、ホールソー等の機器を用いて外壁２の表面側から形成する。該コア抜き孔（３）のサイズはブラケットを躯体（１）に取り付け、調節、固定するに充分な形状、サイズを必要とするものであり、この操作が容易且つ確実に行えるサイズであればそれ以上の大きさは不要である。
【００２０】
この躯体（１）に固定型ブラケット（４０）の取付部（４１）を溶接、タッピングビス、テクスビス、セルフドリリングスクリュービス等を用いて固定（以下これらのビス止め方法を一括して「ビス止め」という。）する。この固定型ブラケット（４０）の取付部（４１）を躯体（１）に固定した後、胴縁支持材（４５）の他端側に胴縁（６）を固定する。好ましくは胴縁支持材（４５）の上に胴縁（６）を載せ、溶接又はビス止めで固定する。
固定型ブラケット（４０）は、胴縁支持材（４５）及びその一方の端部に鉄板からなる取付部（４１）からなる。この胴縁支持材（４５）としては、通常市販のアングル、Ｃ型チャンネル又は角型パイプを用い、その一方の端部に鉄板からなる取付部（４１）を溶接等で接合したものであり、アングル等の長さも、躯体（１）と胴縁（６）の距離に合わせて製造することでも良いが、予めこの距離の最も長い場合の長さのものを用意することでも良い。そして現場に合わせてその長さを工場などでカットし調整したものを施工しても良いし、現場において取り付けた後に胴縁（６）の面から出た分をカットしても良い。
【００２１】
躯体（１）への取付場所としては、強度が充分あるときはその場所を問わないが、建物躯体（１）がＨ型鋼またはＩ型鋼であるときは施工の容易性からウエブに取り付けることが好ましい。躯体への取付場所が、Ｈ型鋼またはＩ型鋼の接続部に当たるときはウエブへの直接取付が困難であるためフランジの上部へ取り付けることになる。
取付は溶接できれば溶接でも良いが、建物内部は木材、合成樹脂パネル、断熱材などの可燃性材が使用されている可能性が高く、固定型ブラケット（４０）の固定法としてはあまり勧められない。
【００２２】
なお胴縁（６）への取付方としては、直接胴縁（６）に溶接又はビス止め等で取り付けても良く特に制限されていないが、場合によっては図には示されていないが、該ブラケットの取付部反対側の胴縁取付部を横胴縁（６１）または縦胴縁（６２）に、図６に示されるような胴縁接合用金物（７）等を用いて固定しても良い。なお図１においては横張り用の外壁８の取り付けを示している。この他にも乾式壁材の取付方は種々あり、これに限定されるものではない。
【００２３】
これらの外装材固定面に固定型ブラケット（４０）で固定された横胴縁（６１）［縦胴縁（６２）］は、縦胴縁（６２）［横胴縁（６１）］と胴縁接合金物（７）を用いて胴縁（６）を組み立てる。この場合新規乾式壁材（８）と既存建物の外壁材（２）の間隔を小さくするため、胴縁（６）全体の厚さを少なくする必要があるので、縦胴縁（６２）は横胴縁（６１）の間隔に切断したものを胴縁接合金物（７）を用いて接合し、その厚さが増すのを防ぐことが好ましい。この場合、固定型ブラケット（４０）や胴縁接合金物（７）等の平面部は補強のためにその端部を折り曲げておくと変形に対する剛性を大きく改善できる。
【００２４】
なお、建物の外装材（２）の面と躯体（１）の間隔が一定していなかった場合には、固定型ブラケットに代えてブラケットの取付部と胴縁固定の取付部の長さの調節が容易なスライド型ブラケット（Ａ）とアジャスター（Ｂ）からなるスライド型ブラケットを用いても良い。
図５はスライド型ブラケットを用いる外壁の改修構造の代表的な一例を示すものであり、図６はスライド型ブラケット及びアジャスターを説明するための図面である。
なおこのスライド型ブラケットはコストも高く、施工に際して工数を余分に必要となるので、建物躯体の鉄骨材のサイズに合わせた固定型ブラケット（例えば１例を図１に示すが、該ブラケットは建物躯体と胴縁を連結できればよいので形状はきまっていない。距離は胴縁支持材（４５）の長さによって調節する。）を準備しておき胴縁を固定することが好ましい。
【００２５】
上記のスライド型ブラケットを用いて建物外壁の改修に際しては、外壁（２）に形成したコア抜き孔（３）は、躯体（１）の配設位置に沿って、一定ピッチでコアドリル、ホールソー等の機器を用いて外壁（２）の表面側から形成するものである。該コア抜き孔（３）のサイズはスライド型ブラケットのブラケット（Ａ）を躯体（１）のウエブ（１１）に取り付け、アジャスターの位置を調節、固定するのに充分な形状、サイズを必要とするものであり、この操作が容易且つ確実に行えるサイズであればそれ以上の大きさは不要である。
【００２６】
スライド型ブラケットのブラケット（Ａ）は、その１例としては図６に示すように、ブラケット（Ａ）の一端に取付部（Ａ１）があり、この部分で躯体（１）に確実に固定する。図５ではボルト穴を有する取付部（Ａ１）を示しているが、溶接、ボルトナット、タッピングビスなどの通常の固定法であっても良く、躯体（１）に対する固定方法は確実に固定できるものであればその方法は自由である。取付部（Ａ１）に対し直角に水平に延び、アジャスター（Ｂ）の位置を任意の位置で固定できるようにしたルーズホール（Ａ４）を設けた水平支持材（Ａ３）が設けられる。該水平支持材（Ａ３）はその曲げ強度を増すためにその両側端部の僅かの幅をほぼ直角に折り曲げた補強折り曲げ部（Ａ５）を設けることは好ましい。また取付部（Ａ１）と水平支持材（Ａ３）の間の強度を確保するために補強板（Ａ２）を設けることも好ましい方法である。
【００２７】
アジャスター（Ｂ）は、ブラケット（Ａ）の水平支持材（Ａ３）上を跨ってスライドし、スライド型ブラケット（Ａ）の取付部（Ａ１）とアジャスター（Ｂ）胴縁固定の取付部の間の長さを調節し、適切な位置においてボルトによって固定する。なお本発明においてはブラケット（Ａ）の水平支持材（Ａ３）にルーズホール（Ａ４）を設け、アジャスター（Ｂ）には長さ固定用のボルト穴（Ｂ１）を設けたものを示したが、ルーズホールはブラケット、アジャスターのいずれか一方または双方に設けてアジャスター（Ｂ）の位置の調整することも可能である。アジャスター平面部（Ｂ３）の長さはスライド型ブラケット（Ａ）の取付部（Ａ１）とアジャスター（Ｂ）の胴縁固定の取付部（Ｂ２）の間の長さによって適切な長さになる。アジャスター（Ｂ）も強度を増すためにその両側端部を折った補強折り曲げ部（Ｂ４）を設けることは好ましい。
【００２８】
アジャスター（Ｂ）の他端は、溶接、胴縁接合金具（Ｌ型接合金具）、ボルトナット、タッピングビスなど適切な方法で確実に横胴縁（６１）または縦胴縁（６２）に固定出来れば良くその方法は問わない。また横胴縁（６１）及び縦胴縁（６２）は、胴縁接合金物（７）などにより互いに強固に固定する。該胴縁接合金物７は、強度を増すためにＬ型に折り曲げた板状体の片端縁をアジャスター（Ｂ）の補強折り曲げ部（Ｂ４）のように直角に折り曲げたものが好ましい。
【００２９】
本発明において、スライド型ブラケット（Ａ）とアジャスター（Ｂ）は、形状も簡単であって製造は極めて容易であり、また材質も各種鋼材などの鉄系材を使用すればよいのでコストも極めて安価に製造できる。またスライド型ブラケット（Ａ）とアジャスター（Ｂ）の長さの調節は、どちらかに設けたルーズホールと他方に設けたボルト穴の間にボルトとナットをルーズにはめ込んで適切な位置においてこれをきつく締めて固定することにより、ブラケット取付部（Ａ１）とアジャスター（Ｂ）の胴縁取付部の長さを調節すれば良く、その操作も胴縁（６）に取り付けた後で固定するだけで、熟練者の技術を全く必要とせずに行える利点がある。この場合、ブラケットの補強折り曲げ部（Ｂ５）及びアジャスター（Ｂ）の補強折り曲げ部（Ｂ４）は、金具の強度の改善だけでなくブラケットの水平支持材（Ａ３）とアジャスターの平面部（Ｂ３）がその結合方向を正確に保持するために有効に働く。
【００３０】
又、図２に示すように躯体（１）に外装材固定用取付部（５）が設けられている場合がある。  建物の外壁は殆どの場合垂直（平面）であり、また外装材の厚さも上層階から下層階まで一定であるので、外装材を固定している建物躯体に設けられる外装材固定用取付部（使用箇所により等辺山形鋼や不等辺山形鋼を用い、建物躯体のＨ形鋼にボルト止め、溶接止めなどで固定されている。）の外装材取付部面は躯体（１）のサイズに関係なく、通常外壁面から同一距離になっているのが普通である。このため外装材固定用取付部（５）の外装材固定面から胴縁までの距離は一定であり、この場合には長さの調節機構を有していない一定の長さを有するものを使用しても良いので、構造も簡単であって、コストも安い一体型ブラケット（形状的に固定型ブラケットと同一の場合もある。）で充分に間に合う事になる。
【００３１】
一体型ブラケットは、建物躯体（１）に取り付けられている外装材固定用取付部（５）の外装材固定面にその一端を固定する。固定方法としてはこの場合も固体型ブラケットの場合と同様に確実に固定できれば特に制限がなく、躯体の外装材固定用取付部の外装材固定面が上向きの時は、胴縁固定用一体型ブラケットはビス止めするか、上向きの山形鋼の外装材固定面を挟みプレートで固定し、山形鋼の外装材固定面が下向きの時は挟みプレートが山形鋼の外装材固定面からはずれないようにビス止めとするなどの方法で固定すればよい。
【００３２】
この外装材固定用取付部（５）の垂直な外装材固定面（５１）に一体型ブラケット（４）のビスタイプ取付部（４１）をビス（４２）で固定する。図２には示されていないが、該ブラケットの取付部反対側の胴縁取付部を横胴縁（６１）または縦胴縁（６２）に溶接または図７に示されるような胴縁接合用金物（７）等を用いて固定する。なお図２においては横張り用の外壁８の取り付けを示している。この他にも乾式壁材の取付方は種々あり、これに限定されるものではない。
【００３３】
これらの外装材固定面（５１）に一体型ブラケット（４）で固定された横胴縁（６１）は、縦胴縁（６２）と胴縁接合金物（７）を用いて胴縁（６）を組み立てる。この場合も新規乾式壁材（８）と既存建物の外壁材（２）の間隔を小さくするため、縦胴縁（６２）は横胴縁（６１）の間隔に切断したものを胴縁接合金物（７）を用いて厚さが増すのを防ぐことが好ましい。
【００３４】
なお外装材固定用山形鋼が上向きの時は図３に示すように外装材固定用山形鋼（５）の外装材固定面（５１）が上向きであり、その奥に挟みプレートが挿入可能な場合には挟みプレートタイプ一体型ブラケット（４３）を用いることが操作的に容易であるため好ましい。殆ど取付部が外れる危険性はないが、安全のためにタップ穴（４４）を設けてはさみを確実にしておくことが好ましい。外装材固定用山形鋼（５）の外装材固定面（５１）が下向きであるときには、場所的な問題もあるが組み立てが困難なケースもあるのでその場合にはビスタイプ一体型ブラケットを使用することが有利である。
【００３５】
なお固定型ブラケット、一体型ブラケットまたはスライド型ブラケットのアジャスター（Ｂ）に胴縁（６）などを取り付けた後、コア抜き孔（３）の空隙部にはロックウールなどの不燃性充填剤を詰め、カバーをするなどで空隙部を封止することが好ましい。モルタル等を詰める事であっても良いが、既存の壁材２と強く結合するので、該壁材に影響を与えるおそれがある。
胴縁は、既存建物の外壁（２）の外側に延長してきた固定型ブラケット（４０）、一体型ブラケット（４）の接合部またはアジャスター（Ｂ）先端に溶接、接合金物、ビス止め等の固定手段により取り付けるものであり、乾式壁材（８）の取付基盤として機能するものである。
【００３６】
さらに、胴縁（６）は角形鋼管またはリップみぞ形鋼等からなり、水平方向に延びる主として角形鋼管を用いた横胴縁（６１）と垂直方向に延びる角形鋼管またはリップみぞ形鋼からなる縦胴縁（６２）とがある。これらは後記する乾式壁材（８）の種類や（縦張り型、横張り型）、必要な胴縁（６）のピッチにより任意に外壁（２）の表面に配置するものであるが、角形鋼管またはリップみぞ形鋼は安価に市販されている上、従来の胴縁（図８参照）に比して剛性が大である。この場合、胴縁は外壁（２）と乾式壁材（８）との間に空間を付与することとなるが、この空間はできるだけ少ないことが好ましい。従って横胴縁（６１）と縦胴縁（６２）は、例えば図６に示すのような胴縁接合金物（７）を用いて同一面状にて連結するのが好ましい。このため横胴縁は各階毎に設け、縦胴縁はその間隔に切断して連結金具を用いて接合することにより胴縁の厚さも薄く（角形鋼管と同一の厚さ）できる。角形鋼管またはリップみぞ形鋼は強度が高いところから各階中間部における補強用金具は不要である。
【００３７】
この接合金物（７）は、横胴縁（６１）と縦胴縁（６２）を同一平面状で接合するもの（ブラケットまたはアジャスターと胴縁の接合等に使用することもできる。）ではあるが、補強折り曲げ部を設けてその側面部からも接合を補強して固定するものであり、補強折り曲げ部を設けていないＬ型の接合金物がその面だけで固定しているのに対し、この場合にはその直角方向にも接合強度の補強がなされているため、接合金物の数が少なくとも同一の結合強度を得ることは容易であり、同一の数を使用した場合にはより結合強度の大な胴縁を形成することが可能である。
【００３８】
新規の乾式壁材（８）は既存建物の外壁（２）の表面をカバーして新たな壁面を形成するもので、建物に対する化粧材、防水材、断熱材、防火材、耐火材として機能するものであり、胴縁（６）や既存の外壁（２）に負担をかけない外壁材であれば良く、好ましくは例えば図７に示すような断面を有する軽量の各種窯業系サイディング材等が適用できる。
【００３９】
このような窯業系サイディングを使用したときには、乾式壁材（８）の一側端に雄型連結部を、他側端に雌型連結部を形成した本実状とし一般的な横張り型の窯業系サイディング材を示す例である。なお、図７では、雌型連結部内に軟質のシール材Ｓが介在させてあり、目地部の防水性を向上するものである。
さらに、乾式壁材の胴縁に対する取付は、乾式壁材の連結部に胴縁取付金物をビス止め等の固定具を用いて固定する。
【００４０】
ここで、本発明に係る外壁の改修構造の施工方法について、実施の１例を示して簡単に説明する。
まず、図１に示すように、建物の躯体１の配設位置に沿って、外壁２に任意ピッチでホールソー等の機器を用いて、外壁２の表面側からコア抜き孔３を形成する。この際、コア抜き孔３のピッチとしては水平方向のピッチ＝６００、９００、１２００、１５００ｍｍ位、垂直方向のピッチＬは、建物の種類によっても異なるが、一般的には１階層分の高さ３５００ｍｍ位である。
次に、胴縁支持部材として、胴縁支持材４５の長さを予め調製した固定型ブラケット４０をコア抜き孔３に挿入して、その取付部４１を躯体１、例えばＨ型鋼材のウエブ１１にビス止めなどにより取り付ける。この際、外壁２に荷重をかけないように、ブラケット４の外周がコア抜き孔３に触れないように注意する。
【００４１】
次ぎに、固定型ブラケット４０の胴縁支持材４５の取付部４１の反対側に長尺の横胴縁６１を載せ、溶接、ビス止めまたは胴縁接合金物７などで固定する。
この際のピッチは、取り付ける乾式壁材８の必要な胴縁６のピッチや、地上高による耐風圧強度等により決められるものであり、例えば、６００、１２００、１８００、２０００ｍｍ等である。
最後に、乾式壁材８を胴縁６に固定具等を用いて取り付け、改修を完了するものである。勿論、図示しないが、水切り材やスタート材、止縁材、出隅材、入隅材、開口部材、等の各種役物、シーリング材を必要に応じて施工して新規外壁面を形成するものである。
【００４２】
なお、胴縁支持部材としてスライド型ブラッケットＡを用いる場合には、、ブラケット４をコア抜き孔３に挿入して、その取付部４１を躯体１、例えばＨ型鋼材のウエブ１１にビス止めなどにより取り付ける。この際、同様に外壁２に荷重をかけないように、ブラケット４の外周がコア抜き孔３に触れないように注意する。ついで不陸を調整しながらアジャスター５をブラケット４の水平に延びる水平支持材４３の上に跨らせ、ブラケットのルーズホール４４とアジャスターのボルト穴５１の間にボルト及びナットを緩く締め、スライドさせながらアジャスター５の位置を調整し、ブラケットの取付部４１とアジャスター５の胴縁の取付部の間隔を調整しボルトナットをきつく締めることにより固定する。
【００４３】
次に長尺状の横胴縁６１又は縦胴縁６２にアジャスター５の取付部を溶接、ボルトあるいは接合金物などを用いて胴縁に固定する。なお順序として上記とは逆にアジャスター５を胴縁６に取り付けた後にブラケット４とアジャスター５の位置を固定しても良い。
【産業上の利用可能性】
【００４４】
本発明は建築物の窯業系サイディング又は気泡コンクリート等からなる既存外壁面を、居住したままでも解体することなく、工期も短く、安価で、容易に、既存の外壁に全く負担をかけることなく、しかも充分な取付強度を有する新規な乾式壁材を設置する新規外壁を形成するための外壁の改修方法、建物外壁用胴縁支持部材並びに建物外壁用胴縁の固定方法を開発した。
【図面の簡単な説明】
【００４５】
【図１】固定型ブラケットを用いた外壁の改修構造の代表的な一例。
【図２】一体型ブラケット（セルフドリリングビスタイプ）を用いた外壁の改修構造の代表的な一例。
【図３】一体型ブラケット（挟みプレートタイプ）を用いた外壁の改修構造の代表的な一例。
【図４】挟みプレートタイプ一体型ブラケットの展開図。（ａ）平面図、（ｂ）正面図、（ｃ）左側面図、（ｄ）右側面図，（ｅ）底面図。
【図５】スライド型ブラケットを用いた外壁の改修構造の代表的な一例。
【図６】スライド型ブラケットの展開図。（ａ）ブラケット平面図、（ｂ）その正面図、（ｃ）その左側面図、（ｄ）アジャスター平面図。（ｅ）その左側面図。
【図７】胴縁接合用金物の展開図。（ａ）胴縁接合用金物の斜視図、（ｂ）そのＡ方向側面図、（ｃ）Ｂ方向平面図、（ｄ）Ｃ方向側面図。
【図８】乾式壁材の一例の断面図
【図９】「Ｋ」鋼の断面図。
【符号の説明】
【００４６】
１  建物の躯体
１１  ウエブ
１２  フランジ
２  建物の外壁
３  コア抜き孔
４  一体型ブラケット
４０  固定型ブラケット
４１  取付部
４２  ビス
４３  挟みプレートタイプ取付部
４４  挟みプレートタイプタップ孔
４５  胴縁支持材
５  外装材固定用取付部
６  胴縁
６１  横胴縁
６２  縦胴縁
７  胴縁接合金物
７１  ボルト穴
７２  補強用折り曲げ部
８  乾式壁材
Ａ  スライド型ブラケット
Ａ１  取付部
Ａ２  補強板
Ａ３  水平支持材
Ａ４  ルーズホール
Ａ５  補強折り曲げ部
Ｂ  スライド型ブラケット用アジャスター
Ｂ１  ボルト穴（ルーズホール用）
Ｂ２  ボルト穴（接合金具用）
Ｂ３  アジャスター平面部
Ｂ４  補強折り曲げ部
Ｃ  固定型ブラケット
Ｓ    軟質シール材
【図１】
2005171752.tif 000003
【図２】
2005171752.tif 000004
【図３】
2005171752.tif 000005
【図４】
2005171752.tif 000006
【図５】
2005171752.tif 000007
【図６】
2005171752.tif 000008
【図７】
2005171752.tif 000009
【図８】
2005171752.tif 000010
【図９】
2005171752.tif 000011